(57)【要約】【課題】出庫能率を向上し得る自動倉庫の運転方法を提供する。【解決手段】複数の保管棚１２が、幅方向に並列に配置される。保管棚１２,１２の間に、左右両側の保管棚１２,１２に対する入庫作業および出庫作業を行なうスタッカクレーン２０が配置される。保管棚群の前側に、各スタッカクレーン２０と対応して出庫ステーション３２が夫々設定され、該出庫ステーション３２と受取位置３３との間を出庫台車３４が往復移動するよう構成される。受取位置３３に待機する出庫台車３４に鋼材束１４を移載したスタッカクレーン２０は、制御装置２８からの出庫要求信号の入力により、出庫台車３４の現在位置に関係なく、次の出庫対象の鋼材束１４の受取り作業を開始する。【選択図】図１
2008201571.tif 000002
【特許請求の範囲】
【請求項１】
長手方向および上下方向に複数の保管部(16)を備えた保管棚(12)が並列に配置され、保管棚(12)の列間に設けられて該保管棚(12)に沿って移動するスタッカクレーン(20)と、各スタッカクレーン(20)に対応して設定された出庫ステーション(32)および受取位置(33)の間を往復移動する出庫台車(34)とを備え、保管部(16)に保管されている荷物(14)をスタッカクレーン(20)で受取り、該荷物(14)を受取位置(33)に待機している出庫台車(34)にスタッカクレーン(20)から受渡して出庫させるようにした自動倉庫において、
前記スタッカクレーン(20)に対して制御装置(28)からの出庫要求信号の入力があったときには、前記出庫台車(34)の現在位置に関係なく、該スタッカクレーン(20)による出庫対象荷物(14)の受取り作業を開始させるようにした
ことを特徴とする自動倉庫の運転方法。
【請求項２】
前記保管部(16)のスタッカクレーン(20)に対する奥側に次の出庫対象の荷物(14)が保管され、該保管部(16)の手前側に保管されている出庫対象外の荷物(14)の配替え作業が必要な場合は、前記スタッカクレーン(20)から出庫台車(34)へ先の荷物(14)を受渡した後に、該スタッカクレーン(20)による配替え作業を開始するようにした請求項１記載の自動倉庫の運転方法。
【請求項３】
前記スタッカクレーン(20)は、左右両側の保管棚(12,12)における保管部(16,16)に対し、左右方向に並列に複数の荷物(14)を受け渡し可能な移載部材(24)を備え、該移載部材(24)から前記出庫台車(34)に受渡した複数の荷物(14)の内、所定位置の荷物(14)のみを出庫した後、出庫台車(34)に残っている荷物(14)を移載部材(24)で受取って保管部(16)に戻す再入庫作業に際し、移載部材(24)に対して左右何れかに偏って載置されている荷物(14)を、該荷物(14)の偏り側に位置する保管棚(12)の保管部(16)に戻すようにした請求項１または２記載の自動倉庫の運転方法。
【請求項４】
同一種の出庫要求に係る対象荷物(14)の出庫作業が残っているスタッカクレーン(20)が１基となったときには、当該スタッカクレーン(20)では対象荷物(14)の出庫作業を優先して行なわせ、他のスタッカクレーン(20)により荷物(14)の入庫作業を受け持たせるようにした請求項１〜３の何れか一項に記載の自動倉庫の運転方法。
【発明の詳細な説明】
【技術分野】
【０００１】
この発明は、出庫ステーションと受取位置との間を往復移動する出庫台車を備え、スタッカクレーンで保管部から受取った荷物を、受取位置に待機している出庫台車にスタッカクレーンから受渡して出庫させるようにした自動倉庫の運転方法に関するものである。
【背景技術】
【０００２】
前記自動倉庫は、複数列で配置された多段の保管棚と、保管棚の列間に設けられ、該保管棚の保管部との間で荷物の受け渡しを行なうスタッカクレーンとを備え、入庫ステーションに搬入された荷物を、スタッカクレーンにより保管棚の保管部に入庫させるようになっている(例えば、特許文献１参照)。
【０００３】
また自動倉庫は、スタッカクレーンに対応して設定された出庫ステーションおよび受取位置の間を往復移動する出庫台車を備えている。そして、スタッカクレーンは、制御装置からの出庫要求信号の入力により、要求された荷物が保管されている保管部まで移動し、該保管部に保管されている荷物を受取り、該荷物を受取位置に待機している出庫台車に受渡すよう構成されている。また、荷物を受取った出庫台車は、受取位置から出庫ステーションまで移動し、当該出庫ステーションにおいて、出庫台車に載置されている荷物が、天井走行クレーン等によってトラック等に移載されるようになっている。
【特許文献１】特開２００１−２２５９０６号公報
【発明の開示】
【発明が解決しようとする課題】
【０００４】
前記スタッカクレーンは、出庫要求信号が入力されたときには、出庫台車が受取位置に待機していることを条件として、荷物の受取り作業を開始するよう設定されている。このため、出庫ステーションで荷下ろし作業を完了した出庫台車が受取位置に戻るまでは、スタッカクレーンが荷物の受取り作業を開始しないため、出庫作業が遅延する原因となっていた。
【０００５】
前記保管棚には複数の荷物が、スタッカクレーンに対する手前から奥側に並列に載置されているため、奥側に位置する荷物を出庫する場合は、先に手前側の荷物を他の保管部に移し替える配替え作業が必要となる。しかるに、この配替え作業の開始も、出庫台車が受取位置に待機していることが条件となっている。すなわち、要求された荷物の出庫に際して配替え作業が必要な場合は、出庫台車が受取位置に待機していることを条件として、スタッカクレーンが配替え作業を開始し、その後に対象となる荷物の受取り作業を行なっており、更に出庫遅延を招くこととなっていた。
【０００６】
前記スタッカクレーンでは、荷物の受け渡しを行なう移載フォークが一度に複数、例えば２つの荷物を受け渡し得るよう構成されている関係で、保管棚における奥側の１つの荷物を出庫する場合に、その手前側に位置する出庫対象となっていない荷物も同時に受取って前記出庫台車に受渡し、出庫ステーションにおいて出庫台車から出庫対象の荷物のみを下ろした後、残った対象外の荷物を再びスタッカクレーンで保管部に戻す、いわゆる再入庫作業が行なわれている。この場合において、出庫台車から移載フォークに受取った１つの荷物は、該移載フォークに対して左右何れか(奥または手前の何れか)に偏って載置されている。しかるに、従来の自動倉庫では、移載フォークに対して荷物が偏って載置されている位置に関係なく、戻すことが可能な保管部に荷物を戻している。このため、移載フォークに対する荷物の載置位置と保管部との位置関係によっては、該保管部において荷物が載置可能な部位に隙間が生じてしまい、保管棚に対する荷物の充填率が低下する問題を招いていた。
【０００７】
ここで、前記自動倉庫では、全ての保管棚に対する荷物の充填率を高めるため、荷物の入庫に際しては１つの入庫ステーションに対して全ての荷物を纏めて供給するようにし、該入庫ステーションから各保管棚に荷物を振り分けて入庫させることが実施されている。このため、出荷先が同じとなる同一種の出庫要求に係る対象荷物が、特定のスタッカクレーンが担当する保管棚に多く保管されてしまい、出庫に際して該特定のスタッカクレーンに対する出庫率が高く(出庫する荷物の数が多く)なることがある。この場合において、スタッカクレーンは、入庫作業および出庫作業の両作業を行なうが、入庫作業を出庫作業に優先して行なうよう制御されるため、他のスタッカクレーンによる出庫対象荷物の出庫が完了し、特定のスタッカクレーンが担当する出庫対象荷物のみが残っている状態であっても、当該特定のスタッカクレーンに対し入庫要求信号が入力されると入庫作業を優先して行なうため、同一種の出庫要求に係る全ての出庫対象荷物が出庫されるのに時間が掛かる難点が指摘される。
【０００８】
すなわち本発明は、従来の技術に係る自動倉庫の運転方法に内在する前記課題に鑑み、これらを好適に解決するべく提案されたものであって、出庫能率を向上し得る自動倉庫の運転方法を提供することを目的とする。
【課題を解決するための手段】
【０００９】
前記課題を克服し、所期の目的を達成するため、本願の請求項１に係る発明の自動倉庫の運転方法は、
長手方向および上下方向に複数の保管部を備えた保管棚が並列に配置され、保管棚の列間に設けられて該保管棚に沿って移動するスタッカクレーンと、各スタッカクレーンに対応して設定された出庫ステーションおよび受取位置の間を往復移動する出庫台車とを備え、保管部に保管されている荷物をスタッカクレーンで受取り、該荷物を受取位置に待機している出庫台車にスタッカクレーンから受渡して出庫させるようにした自動倉庫において、
前記スタッカクレーンに対して制御装置からの出庫要求信号の入力があったときには、前記出庫台車の現在位置に関係なく、該スタッカクレーンによる出庫対象荷物の受取り作業を開始させるようにしたことを特徴とする。
請求項１に係る発明によれば、出庫台車の現在位置に関係なく、スタッカクレーンに対して出庫要求信号が入力されたときには、直ちに出庫対象となる荷物を保管部から受取るための受取り作業を開始するようにしたから、出庫台車が受取位置に戻るまで作業開始を待つことはなく、出庫能率を向上することができる。
【００１０】
請求項２に係る発明では、前記保管部のスタッカクレーンに対する奥側に次の出庫対象の荷物が保管され、該保管部の手前側に保管されている出庫対象外の荷物の配替え作業が必要な場合は、前記スタッカクレーンから出庫台車へ先の荷物を受渡した後に、該スタッカクレーンによる配替え作業を開始するようにしたことを要旨とする。
請求項２に係る発明によれば、出庫台車に荷物を受渡したスタッカクレーンは、次の荷物の出庫時に配替え作業が必要な場合は、直ちに配替え作業を開始するようにしたから、出庫台車が受取位置に戻るまで配替え作業の開始を待つ必要はなく、出庫能率を向上し得る。
【００１１】
請求項３に係る発明は、前記スタッカクレーンは、左右両側の保管棚における保管部に対し、左右方向に並列に複数の荷物を受け渡し可能な移載部材を備え、該移載部材から前記出庫台車に受渡した複数の荷物の内、所定位置の荷物のみを出庫した後、出庫台車に残っている荷物を移載部材で受取って保管部に戻す再入庫作業に際し、移載部材に対して左右何れかに偏って載置されている荷物を、該荷物の偏り側に位置する保管棚の保管部に戻すようにしたことを要旨とする。
請求項３に係る発明によれば、再入庫作業に際し、移載部材に対して偏って載置されている荷物の偏り側に位置する保管棚の保管部に該荷物を戻すようにしたから、保管部に荷物が載置されていない隙間が発生するのを抑制することができ、荷物の充填率を向上し得る。
【００１２】
請求項４に係る発明では、同一種の出庫要求に係る対象荷物の出庫作業が残っているスタッカクレーンが１基となったときには、当該スタッカクレーンでは対象荷物の出庫作業を優先して行なわせ、他のスタッカクレーンにより荷物の入庫作業を受け持たせるようにしたことを要旨とする。
請求項４に係る発明によれば、同一種の出庫要求に係る対象荷物の出庫作業が残っているスタッカクレーンについては出庫作業を専念させて、出庫作業が完了した他のスタッカクレーンに荷物の入庫作業を受け持たせるようにしたから、出庫能率を向上することができる。
【発明の効果】
【００１３】
本発明に係る自動倉庫の運転方法によれば、スタッカクレーンの待ち時間を低減して出庫能率を向上することができる。また、再入庫に際して荷物を適当な保管部に戻すことで、保管棚での荷物の充填率を向上し得る。
【発明を実施するための最良の形態】
【００１４】
次に、本発明に係る自動倉庫の運転方法につき、好適な実施例を挙げて、添付図面を参照しながら、以下詳細に説明する。なお実施例では、荷物としての鋼材束が保管される保管棚の長手方向と直交する方向を幅方向と指称すると共に、保管棚の長手方向の一方に設定される出庫ステーション側を前側、これと反対側を後側と指称するものとする。
【実施例】
【００１５】
図１に示す如く、実施例に係る自動倉庫１０は、複数(実施例では５基)の保管棚１２が、幅方向に並列に配置されている。各保管棚１２は、図２に示す如く、基本的には幅方向の両側において、鋼材束１４を幅方向に４列で載置可能な保管部１６(図３参照)が、長手方向および上下方向に複数列および複数段で設けられている。但し、幅方向の両側に位置する保管棚１２については、内側にのみ保管部１６が設けられている。幅方向に隣り合う保管棚１２,１２の間(保管棚の列間)には、長手方向に延在するレール１８に沿ってトロリー線からの給電を受けて自走可能なスタッカクレーン２０が配置されている。スタッカクレーン２０は、左右両側に位置する保管棚１２,１２に対する入庫作業および出庫作業を行なうものであって、図２または図３に示す如く、上下方向に移動自在な昇降体２２に対して、幅方向に伸縮自在な移載フォーク(移載部材)２４を備え、昇降体２２の上下動および移載フォーク２４の伸縮動によって鋼材束１４の移載を行なうよう構成されている。各保管棚１２および各スタッカクレーン２０は、同一構成である。
【００１６】
前記スタッカクレーン２０の移載フォーク２４は、１度に複数(実施例では２束)の鋼材束１４を幅方向の並列状態で移載可能に構成される。また移載フォーク２４の幅方向の伸縮については、図３(ａ)〜(ｄ)に示す如く、鋼材束１４の入庫に際して、スタッカクレーン２０を挟んで左右に位置する保管棚１２,１２における保管部１６,１６に対して、４つのポジションで停止するよう設定される。すなわち、前記昇降体２２の左右に位置する保管部１６,１６での鋼材束１４の載置位置を、左側からＡ〜Ｈとした場合、ＡＢ、ＣＤ、ＥＦおよびＧＨの位置に、２束の鋼材束１４を同時に移載し得る位置に、移載フォーク２４が伸縮して停止するよう設定されている。また、実施例の移載フォーク２４は、出庫および再入庫に際しては、図４(ａ)〜(ｈ)に示す如く、前記Ａ〜Ｈの各位置に対し、１束の鋼材束１４のみの受け渡しを行ない得るように、８つのポジションで停止し得るように構成されている。
【００１７】
保管棚群における長手方向の所定位置には、幅方向の一方側に設定された入庫ステーション２６に供給された鋼材束１４を、制御装置２８により作動制御されて各保管棚１２に振り分ける入庫装置３０が、該保管棚群を幅方向に横断するように配置されている。すなわち、入庫ステーション２６に供給される鋼材束１４を、入庫装置３０で各保管棚１２に順次振り分けることで、全ての保管棚１２に略均等に鋼材束１４を保管するようにして、鋼材束１４の充填率を向上させるようにしてある。
【００１８】
前記保管棚群の前側(図１の左側)には、各スタッカクレーン２０と対応して出庫ステーション３２が夫々設定され、該出庫ステーション３２と、保管庫群内における出庫ステーション３２に近接する受取位置３３との間を出庫台車３４が往復移動するよう構成される。スタッカクレーン２０は、制御装置２８からの出庫要求信号の入力により、要求された鋼材束１４が保管されている保管部１６まで移動し、該保管部１６に保管されている鋼材束１４を、移載フォーク２４の伸縮動と昇降体２２の上下動とにより該移載フォーク２４に受取り、該鋼材束１４を受取位置３３に待機している出庫台車３４に受渡すよう構成される。この出庫台車３４は、受取位置３３から出庫ステーション３２まで移動し、当該出庫ステーション３２において、出庫台車３４に載置されている鋼材束１４は天井走行クレーン等によって、トラック等に移載されるようになっている。
【００１９】
前記スタッカクレーン２０は、制御装置２８からの出庫要求信号の入力があったときには、前記出庫台車３４の現在位置に関係なく、直ちに鋼材束１４の受取り作業を開始するよう制御装置２８により制御される。なお、実施例では、前記出庫ステーション３２で出庫台車３４の荷下ろし作業が完了し、作業者が出庫台車３４を受取位置３３に戻すための戻しボタン(図示せず)を押すことで、制御装置２８からの出庫要求信号がスタッカクレーン２０に入力されるよう設定してある。こうすることで、出庫ステーション３２での出庫台車３４上の鋼材束１４の天井走行クレーン等による荷取り待ちによるデッドロックを防止し、入庫搬送待ちロスを低減させる効果を奏する。また、保管部１６のスタッカクレーン２０に対する奥側(例えば図３のＡ,Ｂ,Ｇ,Ｈ)に次の出庫対象の鋼材束１４が保管され、該保管部１６の手前側(例えば図３のＣ,Ｄ,Ｅ,Ｆ)に出庫対象外の鋼材束１４が保管されている場合は、出庫対象外の鋼材束１４を別の保管部１６に移し替える配替え作業が必要となる。そして、このような配替え作業が必要な場合、スタッカクレーン２０は、当該スタッカクレーン２０から出庫台車３４へ先の鋼材束１４を受渡した直後に、配替え作業を開始するよう制御装置２８により制御されるようになっている。
【００２０】
前記出庫台車３４は、スタッカクレーン２０の移載フォーク２４に載置された２束の鋼材束１４が左右に並んで載置可能に構成されると共に、各側に鋼材束１４が載置されていることを検出する検出手段(図示せず)が対応して配設され、該検出手段の検出信号は前記制御装置２８に入力されるようにしてある。
【００２１】
前記各出庫ステーション３２には、前記制御装置２８に接続する報知装置３６が配置されている。この報知装置３６は、出庫台車３４における幅方向左側の載置位置に対応する左側ランプ３８と、右側の載置位置に対応する右側ランプ４０とを備えている。各ランプ３８,４０は、スタッカクレーン２０から出庫対象となる鋼材束１４と対象外の鋼材束１４とが同時に出庫台車３４に移載された場合に、出庫対象となる鋼材束１４が載置されている側が点灯するよう設定される。また各ランプ３８,４０は、出庫ステーション３２において天井走行クレーンの運転者から視認可能な位置に設置されており、運転者は点灯したランプ３８,４０によってトラックに移載する鋼材束１４を判断し得るようにしてある。また報知装置３６には、対応する出庫台車３４による同一出荷先(同じトラックに移載するもの)の鋼材束１４を搬送する回数を表示する表示部(図示せず)が設けられている。なお、出庫対象外の鋼材束１４が出庫台車３４から下ろされることで対応する検出手段が鋼材束１４を検出しなくなったときには、制御装置２８による制御下に、前記ランプ３８,４０の発光色を変えたりブザー等の警報手段を鳴らすことでＮＧ報知を行なうよう設定されている。
【００２２】
図１に示す如く、前記スタッカクレーン２０の最前進位置より前側に、制御装置２８に接続される固定側の光電送装置４４が配置されると共に、スタッカクレーン２０における固定側の光電送装置４４に対向する前部に可動側の光電送装置４６が配設され、両光電送装置４４,４６間で、前記出庫要求信号等の各種の情報通信を行なうよう構成される。すなわち、スタッカクレーン２０は、両光電送装置４４,４６間での情報通信に基づいて、鋼材束１４の入庫作業、出庫作業、配替え作業および再入庫作業等を行なうよう構成されている。実施例では、両光電送装置４４,４６により情報通信手段が構成される。
【００２３】
前記スタッカクレーン２０の最後退位置より後側に、制御装置２８に接続される光電センサ４８の発光部４８ａが配置されると共に、スタッカクレーン２０における発光部４８ａと対向する後部に光電センサ４８の受光部４８ｂが配設されている。光電センサ４８は、前記情報通信手段と回路的には直列に接続され、光電送装置４４,４６間の光電送路が遮られる状態と、発光部４８ａと受光部４８ｂとの光経路が遮られる状態の一方の状態が発生した場合は、スタッカクレーン２０の自動運転を不能とするよう設定されている。但し、スタッカクレーン２０は、常にトロリー線を介して電源が供給可能な状態となっており、自動運転が不能となっている状態であっても、手動操作により動作確認が可能に構成されている。
【００２４】
前記スタッカクレーン２０と入庫装置３０とが交差する所定の領域には、該スタッカクレーン２０を検知可能な光電センサ等の検知手段５０が複数配置され、該領域においてスタッカクレーン２０がエラー停止していることを、図示しないランプ等を点灯して作業者に覚知させ得るよう構成される。なお、検知手段５０は、作業者の進入を検知可能な位置に設置されており、所定の安全処置(例えば庫内立入りスイッチのＯＮ)が実施されていない状態で、検知手段５０が作業者を検知した場合は、制御装置２８は入庫装置３０を非常停止するよう設定されている。
【００２５】
前記制御装置２８には、各保管棚１２の各保管部１６における鋼材束１４の有無および保管されている場合の位置情報(載置位置の情報)、保管されている鋼材束１４に関する各種情報(品名、品番、数量、出荷先等)が在庫管理データとして格納されている。また制御装置２８は、鋼材束１４の再入庫に際しては、スタッカクレーン２０の移載フォーク２４に対して残っている鋼材束１４を、該鋼材束１４の偏り側に位置する保管棚１２の保管部１６に戻すようにスタッカクレーン２０を制御するよう設定される。更に、制御装置２８は、各スタッカクレーン２０を、基本的には入庫作業を出庫作業に優先して行なわせるよう制御する。但し、同一出荷先(同一種)の出庫要求の対象となる鋼材束１４の出庫作業が残っているスタッカクレーン２０が１基となったときには、当該スタッカクレーン２０については出庫対象の鋼材束１４の出庫作業が完了するまでは出庫作業を優先して行なうように専念させ、その間の鋼材束１４の入庫作業を、他のスタッカクレーン２０で受け持たせるように、各スタッカクレーン２０を制御するよう設定してある。また、このときに前記入庫装置３０は、同一出荷先の鋼材束１４の出庫作業が完了した残りのスタッカクレーン２０に対してのみ、入庫ステーション２６に供給される鋼材束１４を振り分けるように制御装置２８で制御される。
【００２６】
〔実施例の作用〕
次に、実施例に係る自動倉庫の運転方法につき説明する。
【００２７】
前記入庫ステーション２６に供給される鋼材束１４は、前記入庫装置３０により各保管棚１２に略均等に保管されるように、各スタッカクレーン２０に対する受渡し位置に振り分けられる。スタッカクレーン２０は、受取った鋼材束１４を、制御装置２８で指定された保管棚１２の保管部１６に移載する。このとき、スタッカクレーン２０では、基本的には２つの鋼材束１４を、保管部１６に対して図３に示すように、ＡＢ,ＣＤ,ＥＦまたはＧＨの位置に移載する。
【００２８】
前記制御装置２８からの出庫要求信号がスタッカクレーン２０に入力されると、該スタッカクレーン２０は、指定された保管部１６に保管されている出庫対象の鋼材束１４を受取り得る位置まで移載フォーク２４を移動し、該フォーク２４の伸縮動および前記昇降体２２の上下動により、出庫対象となる鋼材束１４を受取る。スタッカクレーン２０は、移載フォーク２４に鋼材束１４を載置した状態で、前記受取位置３３まで移動し、該受取位置３３に待機している出庫台車３４に鋼材束１４を受渡す。
【００２９】
前記出庫台車３４は、鋼材束１４が載置されたことを前記検出手段が検出することを条件として、受取位置３３から出庫ステーション３２に向けて移動を開始する。出庫台車３４が出庫ステーション３２に到来して停止すると、天井走行クレーンの運転者は、該出庫台車３４の上方まで天井走行クレーンを移動し、地上の玉掛け作業者による鋼材束１４の玉掛け作業後、鋼材束１４を吊り上げてトラックに移載する。なお、出庫台車３４に２つの鋼材束１４が載置され、両鋼材束１４が何れも出庫対象であれば、前記報知装置３６における左右のランプ３８,４０が何れも点灯し、天井走行クレーンの運転者は２つの鋼材束１４が何れも出庫対象であることを認識し得る。
【００３０】
前記出庫台車３４からの鋼材束１４の荷下ろし作業が完了し、作業者が戻しボタンを押すことで、前記制御装置２８から次の出庫対象となる鋼材束１４の出庫要求信号がスタッカクレーン２０に入力される。この場合、スタッカクレーン２０は、出庫台車３４の現在位置に関係なく、直ちに鋼材束１４を受取る受取り作業を開始する。すなわち、出庫台車３４が出庫ステーション３２から受取位置３３に戻るまで受取り作業の開始を待つ必要はなく、出庫台車３４が受取位置３３に向けて移動中に受取り作業を進めることができ、出庫能率を向上し得る。なお、前記出庫台車３４と対応する報知装置３６には、当該出庫台車３４が同一出荷先の出庫対象の鋼材束１４を受取位置３３から出庫ステーション３２に搬送する回数が表示されるから、作業者は表示された搬送回数に応じて荷下ろし作業を行なう出庫台車３４の順序を予め決めておくことができ、出庫能率の向上が図られる。
【００３１】
ここで、前記保管棚１２からの同一出荷先の鋼材束１４の出庫順序については、トラックに安定した状態で積載し得るように、長いものから短いものへ順に出庫するように制御装置２８からは出庫要求信号が各スタッカクレーン２０に出力される。これにより、出庫ステーション３２には長い鋼材束１４から順に出庫されてくるから、その順番通りに鋼材束１４をトラックへ移載すれば、安定した積載状態となる。従って、短い鋼材束１４が先に出庫されたために、その鋼材束１４の移載作業を待機して出庫台車３４の稼働率が低下したり、あるいはトラックに移載後に不安定となるために鋼材束１４を積替える作業をなくすことができ、出庫能率を向上し得る。
【００３２】
前記制御装置２８は、スタッカクレーン２０が先の鋼材束１４を出庫台車３４に受渡した後、次の出庫対象の鋼材束１４の出庫に際して配替え作業が必要か否かを判定し、配替え作業が必要な場合は、直ちにスタッカクレーン２０に対して配替え作業を行なう指令を出力する。従って、スタッカクレーン２０は、当該スタッカクレーン２０から出庫台車３４へ先の鋼材束１４を受渡した直後に、配替え作業を開始する。すなわち、出庫台車３４が出庫ステーション３２に移動し、該出庫台車３４から鋼材束１４の荷下ろし作業を行なっている間に、配替え作業を行なうことができる。従って、出庫台車３４を受取位置３３に戻す戻しボタンを押したときには、配替え作業を行なうことなく直ちに出庫対象の鋼材束１４の受取り作業を行なうことができ、出庫能率を向上し得る。
【００３３】
次に、再入庫が必要な場合の出庫作業について説明する。
前記スタッカクレーン２０の移載フォーク２４に、出庫対象の鋼材束１４と対象外の鋼材束１４とを保管部１６から受取り、両鋼材束１４,１４を受取位置３３に待機している出庫台車３４に受渡した場合は、前記報知装置３６における出庫対象の鋼材束１４が載置されている側のランプ３８,４０のみが点灯する。従って、天井走行クレーンの運転者は、出庫台車３４におけるランプ３８,４０が点灯している側の鋼材束１４のみが出庫対象であることを認識し得るから、当該鋼材束１４に対する玉掛け作業を行ない易い位置に天井走行クレーンを移動させることができる。よって、地上の作業者は、鋼材束１４の玉掛け作業を効率的に行なうことができ、出庫能率の向上を図り得る。
【００３４】
なお、作業者が誤って出庫対象外の鋼材束１４を出庫台車３４から下ろしたときには、前記対応する検出手段が鋼材束１４を検出しなくなるため、前記制御装置２８は、前記ランプ３８,４０の発光色を変えたりブザー等の警報手段を鳴らすことでＮＧ報知を行なう。従って、出庫対象外の鋼材束１４が出庫されるのを確実に防止することができる。
【００３５】
前記出庫台車３４から出庫対象の鋼材束１４が下ろされると、該出庫台車３４は受取位置３３に戻り、出庫対象外の鋼材束１４はスタッカクレーン２０の移載フォーク２４で受取られ、空いている保管部１６に戻される(再入庫される)。この場合において、移載フォーク２４には左右何れかの側にのみ鋼材束１４が載置されており、該鋼材束１４を保管部１６での保管状態に関係なく、空いている保管部１６に戻すと、該保管部１６に鋼材束１４が載置されない隙間を生じ、鋼材束１４の充填率が低下してしまう。例えば、図５(ａ),(ｂ)に示す如く、移載フォーク２４の左側に鋼材束１４が載置されている状態で、スタッカクレーン２０の右側に位置する保管棚１２の保管部１６に鋼材束１４を戻す場合は、該鋼材束１４はＧまたはＥの位置に載置される。すなわち、保管部１６におけるＨまたはＦの位置に隙間を生じてしまう。また同様に、図５(ｃ),(ｄ)に示す如く、移載フォーク２４の右側に鋼材束１４が載置されている状態で、スタッカクレーン２０の左側に位置する保管棚１２の保管部１６に鋼材束１４を戻す場合は、該鋼材束１４はＢまたはＤの位置に載置される。すなわち、保管部１６におけるＡまたはＣの位置に隙間を生じてしまう。
【００３６】
そこで、実施例の自動倉庫１０では、出庫台車３４からの再入庫に際しては、移載フォーク２４に対する鋼材束１４の偏り側に位置する保管棚１２の保管部１６に、鋼材束１４を戻すよう設定されている。すなわち、図６(ａ),(ｂ)に示す如く、移載フォーク２４の左側に鋼材束１４が載置されている場合は、スタッカクレーン２０の左側に位置する保管棚１２の保管部１６に鋼材束１４を戻す。このときには、該鋼材束１４はＡまたはＣの位置に載置され、保管部１６には奥側から隙間なく詰めた状態で鋼材束１４が載置される。また同様に、図６(ｃ),(ｄ)に示す如く、移載フォーク２４の右側に鋼材束１４が載置されている場合は、スタッカクレーン２０の右側に位置する保管棚１２の保管部１６に鋼材束１４を戻す。このときには、該鋼材束１４はＨまたはＦの位置に載置され、保管部１６には奥側から隙間なく詰めた状態で鋼材束１４が載置される。このように保管部１６に鋼材束１４を隙間なく再入庫させることができ、保管棚１２における鋼材束１４の充填率を向上することができる。なお、前述した鋼材束１４の入庫方法は、入庫時のタイムオーバーでの１束単位の入庫の際にも応用している。
【００３７】
なお、前記配替え作業に際し、１つの鋼材束１４を移し替える場合は、対象となる保管棚１２が左か右かによって、移載フォーク２４に対して左または右側に鋼材束１４が偏って載置される。従って、この配替え作業に際しても、再入庫と同様に、移載フォーク２４に対する鋼材束１４の偏り側に位置する保管棚１２の保管部１６に鋼材束１４を移し替えるようスタッカクレーン２０を制御することで、該保管部１６に隙間なく鋼材束１４を載置(保管)することができ、充填率の向上を図り得る。また、再入庫および配替え作業に際し、鋼材束１４を保管させる保管部１６については、既に保管されている鋼材束１４と同一出荷先となる保管部１６を選択することで、出庫作業に際しては２つの鋼材束１４を同時に出庫することが可能となり、出庫能率を向上し得る。
【００３８】
前記出庫に際し、制御装置２８からは、同一出荷先の出庫対象の鋼材束１４を出庫するように、複数のスタッカクレーン２０に出荷要求信号が出力される。また、自動倉庫１０に対する入庫は、前述したように全ての保管棚１２の充填率が略均等となるように、入庫ステーション２６に供給された鋼材束１４が各保管棚１２に振り分けられる。このため、同一出荷先の鋼材束１４が多い保管棚１２と少ない保管棚１２とが発生し、出庫作業に際しては、同一出荷先の鋼材束１４が多い保管棚１２の出庫作業を担当するスタッカクレーン２０と、少ない保管棚１２の出庫作業を担当するスタッカクレーン２０とでは、出庫作業が完了する時間に差を生ずる。
【００３９】
実施例の自動倉庫１０では、同一出荷先の鋼材束１４の出庫作業が残っているスタッカクレーン２０が１基となったときには、当該スタッカクレーン２０については、入庫作業に優先して出庫作業を行なうように制御する。また前記入庫装置３０は、同一出荷先の鋼材束１４の出庫作業が完了した残りのスタッカクレーン２０に対して、入庫ステーション２６に供給される鋼材束１４を振り分けるように制御装置２８により制御される。これにより、出庫作業が残っているのにも関わらず、入庫作業を優先することで更に出庫作業が遅れるのを防止し、出庫能率を向上することができる。
【００４０】
なお、実施例の自動倉庫１０において、何らかの理由でスタッカクレーン２０がエラー停止してしまった場合は、作業者が倉庫内に立入ってメンテナンスを行なう必要がある。このときには、前記光電送装置４４,４６による情報通信を遮断すると共に、光電センサ４８をＯＦＦする。これにより、作業者がメンテナンスを行なう際の安全性が高められる。すなわち、従来の自動倉庫では、光電センサ４８が設けられておらず、スタッカクレーン２０がエラー停止した場合は、光電送装置４４,４６による情報通信を停止したもとで、作業者が倉庫内に立入ってメンテナンスを行なっていたため、スタッカクレーン２０の故障等が復旧した際に誤って光電送装置４４,４６による情報通信が再開されるおそれがあった。しかるに、実施例では光電センサ４８がＯＦＦの条件では、光電送装置４４,４６による情報通信は不能であるから、作業中の高い安全性が確保される。
【００４１】
また、実施例の自動倉庫１０は、スタッカクレーン２０の移動ラインを横切るように入庫装置３０が配置されているため、両者の交差領域でスタッカクレーン２０がエラー停止した場合は、前記検知手段５０による検知によりランプが点灯し、作業者に対して適切な処置を行なうことを促すことができる。
【００４２】
(変更例)
なお、自動倉庫の構成としては、実施例のものに限られるものではなく、以下の如く種々の変更が可能である。
(1)実施例では、出庫ステーションから出庫台車を受取位置に戻す戻しボタンを押した条件で、スタッカクレーンが鋼材束の受取り作業を開始するようにしたが、スタッカクレーンが先の鋼材束を出庫台車に移載した直後に、次の鋼材束を受取るための受取り作業を開始するようにしてもよい。
(2)保管棚に保管する荷物としては、実施例の鋼材束に限定されるものではない。
(3)保管棚、スタッカクレーン、出庫台車等の数は、実施例に限定されるものではなく、自動倉庫の仕様に応じて任意に設定し得る。
(4)再入庫による段落〔００３６〕に記載した機能は、実施例では一旦出庫台車の載せた出庫対象外の鋼材束を戻すものとしたが、これとは逆に、出庫対象外の鋼材束を先に配替えし、その後に出庫対象となる鋼材束のみを出庫する場合にも実施し得る。
【図面の簡単な説明】
【００４３】
【図１】実施例に係る自動倉庫の概略構成を示す平面図である。
【図２】実施例に係る自動倉庫の概略構成を部分的に示す正面図である。
【図３】実施例に係る保管部に対する入庫に際してのスタッカクレーンによる鋼材束の移載可能位置を示す説明図である。
【図４】実施例に係る保管部に対する出庫および再入庫に際してのスタッカクレーンによる鋼材束の受け渡し可能位置を示す説明図である。
【図５】実施例に係るスタッカクレーンによる再入庫に際し、移載フォークに対して鋼材束が偏って載置されていることを考慮することなく鋼材束を再入庫することで保管部に隙間を生ずる状態を示す説明図である。
【図６】実施例に係るスタッカクレーンによる再入庫に際し、移載フォークに対して鋼材束が偏って載置されている側の保管部に鋼材束を再入庫することで保管部に隙間を生じない状態を示す説明図である。
【符号の説明】
【００４４】
１２  保管棚
１４  鋼材束(荷物)
１６  保管部
２０  スタッカクレーン
２４  移載フォーク(移載部材)
２８  制御装置
３２  出庫ステーション
３３  受取位置
３４  出庫台車
【図１】
2008201571.tif 000003
【図２】
2008201571.tif 000004
【図３】
2008201571.tif 000005
【図４】
2008201571.tif 000006
【図５】
2008201571.tif 000007
【図６】
2008201571.tif 000008